(57)【要約】【課題】  開閉部材を閉じたときに、スイッチ用ハウジングの損傷および分解を防止できるようにする。また、静電気がスイッチ部へと伝達されないようにする。【解決手段】  開閉検出装置は、スイッチ部３１と、スイッチ用ハウジング３２と、カバー部材３３とを備えている。スイッチ部３１は、開閉部材２１の一部２３が当接可能なスイッチボタン３１ａを有している。このスイッチ部３１は、スイッチボタン３１ａが開閉部材２１の一部２３により押圧又は押圧解除されることによりオン又はオフされる。スイッチ用ハウジング３２は、スイッチボタン３１ａを外方に突出させた状態でスイッチ部３１を収容可能になっている。カバー部材３３は、スイッチボタン３１ａの近傍で、スイッチ用ハウジング３２に装着されている。このカバー部材３３には、開閉部材２１を閉じた時に開閉部材２１の一部２３が当接可能になっている。【選択図】      図４
2006012590.tif 000002
【特許請求の範囲】
【請求項１】
開閉部材の開閉状態を検出する開閉検出装置であって、
前記開閉部材の一部が当接可能なスイッチボタンを有し、前記スイッチボタンが前記開閉部材の前記一部により押圧又は押圧解除されることによりオン又はオフされるスイッチ部と、
前記スイッチボタンを外方に突出させた状態で前記スイッチ部を収容可能なスイッチ用ハウジングと、
前記スイッチボタンの近傍で前記スイッチ用ハウジングに装着され、前記開閉部材を閉じた時に前記開閉部材の前記一部が当接可能なカバー部材と、
を備える開閉検出装置。
【請求項２】
前記カバー部材は貫通孔を有し、前記貫通孔に前記スイッチボタンが挿通されている、
請求項１に記載の開閉検出装置。
【請求項３】
前記カバー部材は、金属製の板状部材である、
請求項１又は２に記載の開閉検出装置。
【請求項４】
前記カバー部材の前記開閉部材側には、シート状の絶縁部材が貼付されている、
請求項１から３のいずれかに記載の開閉検出装置。
【請求項５】
前記カバー部材にはアース部材が装着されており、前記スイッチ部は前記アース部材によりアースされている、
請求項１から４のいずれかに記載の開閉検出装置。
【請求項６】
前記開閉部材は画像形成装置の開閉カバーであり、前記スイッチ部は前記開閉カバーの開閉状態を検出する検出部になっている、
請求項１から５のいずれかに記載の開閉検出装置。
【発明の詳細な説明】
【技術分野】
【０００１】
本発明は、開閉検出装置、特に、開閉部材の開閉状態を検出する開閉検出装置に関する。
【背景技術】
【０００２】
開閉部材の開閉状態を検出する開閉検出装置は、スイッチ部と、スイッチ用ハウジングとを備えている。スイッチ部は、開閉部材の一部が当接可能なスイッチボタンを有している。このスイッチ部は、スイッチボタンが開閉部材の一部により押圧又は押圧解除されることによりオン又はオフされるようになっている。スイッチ用ハウジングは、スイッチボタンを外方に突出させた状態でスイッチ部を収容可能になっている。
【０００３】
たとえば、画像形成装置の開閉カバーの開閉状態を検出する開閉検出装置では、開閉カバーの一部たとえば開閉カバーに設けられた突出部がスイッチボタンに当接可能になっている（特許文献１）。開閉カバーを閉めると開閉カバーの突出部によりスイッチボタンが押圧され、開閉カバーを開けると開閉カバーの突出部がスイッチボタンから離反してスイッチボタンの押圧が解除される。このようにスイッチボタンが押圧又は押圧解除されることにより、スイッチ部のスイッチがオン又はオフされる。ここで、スイッチがオンの状態は開閉カバーが閉じた状態であり、スイッチがオフの状態は開閉カバーが開いた状態である。
【特許文献１】特開２００２−２４８８３４
【発明の開示】
【発明が解決しようとする課題】
【０００４】
従来の開閉部材の開閉状態を検出する開閉検出装置、たとえば画像形成装置の開閉カバーの開閉状態を検出する開閉検出装置では、開閉カバーが勢いをつけて閉じられるようなことがあると、開閉カバーの突出部がスイッチボタンに当接した後、開閉カバーの突出部がスイッチ用ハウジングにも当接してしまうことがある。すると、開閉カバーの突出部がスイッチ用ハウジングに当接したときの衝撃力によって、スイッチ用ハウジングが損傷してしまうおそれがある。また、スイッチ用ハウジングは複数のパーツから組み立てられていることが多く、この場合は、スイッチ用ハウジングが分解してしまうおそれがある。一方で、画像形成装置の開閉カバーの開閉状態を検出する開閉検出装置では、画像形成装置を利用する利用者や画像形成装置をメンテナンスする作業者等が開閉カバーを開けて作業しているときに、利用者や作業者等の指がスイッチボタンの近傍に接近して、利用者や作業者等が帯びている静電気が指からスイッチ部へと伝達されてしまうことがある。すると、利用者や作業者等からスイッチ部へと伝達された静電気の影響により、スイッチ部の制御部や画像形成装置の制御部等が正常に動作しなくなるおそれがある。
【０００５】
本発明の課題は、開閉部材を閉じたときに、スイッチ用ハウジングの損傷および分解を防止できるようにすることにある。
本発明の別の課題は、静電気がスイッチ部へと伝達されないようにすることにある。
【課題を解決するための手段】
【０００６】
請求項１に係る開閉検出装置は、開閉部材の開閉状態を検出する開閉検出装置であって、スイッチ部と、スイッチ用ハウジングと、カバー部材とを備えている。スイッチ部は、開閉部材の一部が当接可能なスイッチボタンを有している。このスイッチ部は、スイッチボタンが開閉部材の一部により押圧又は押圧解除されることによりオン又はオフされる。スイッチ用ハウジングは、スイッチボタンを外方に突出させた状態でスイッチ部を収容可能になっている。カバー部材は、スイッチボタンの近傍で、スイッチ用ハウジングに装着されている。このカバー部材には、開閉部材を閉じた時に開閉部材の一部が当接可能になっている。
【０００７】
この開閉検出装置では、開閉部材が開かれた状態から閉じられると、スイッチ用ハウジングから外方に突出した状態のスイッチ部のスイッチボタンが開閉部材の一部により押圧される。これにより、スイッチ部はオン状態になる。ここで、開閉部材が勢いをつけて閉じられるようなことがあると、開閉部材の一部がスイッチボタンに当接した後、開閉部材の一部がスイッチ用ハウジングに装着されたカバー部材に当接する。一方で、開閉部材が閉じられた状態から開かれると、開閉部材の一部がスイッチ部のスイッチボタンから離反してスイッチボタンの押圧が解除される。これにより、スイッチ部はオフ状態になる。
【０００８】
ここでは、カバー部材がスイッチ用ハウジングに装着されているので、開閉部材が勢いをつけて閉じられるようなことがあっても、開閉部材の一部がスイッチボタンに当接した後、開閉部材の一部がスイッチ用ハウジングに直接的に当接しなくなる。これにより、スイッチ用ハウジングが損傷しにくくなる。また、スイッチ用ハウジングに装着されたカバー部材により、開閉部材の一部がスイッチ用ハウジングに直接的に当接しないようにしたことで、スイッチ用ハウジングが複数のパーツから組み立てられていたとしても、スイッチ用ハウジングが分解しにくくなる。すなわち、カバー部材をスイッチ用ハウジングに装着することにより、開閉部材を閉じたときに、スイッチ用ハウジングの損傷および分解を防止することができる。
【０００９】
請求項２に係る開閉検出装置では、請求項１に記載の開閉検出装置において、カバー部材が貫通孔を有している。この貫通孔には、スイッチボタンが挿通されている。この場合、スイッチ部のスイッチボタンのまわりを取り囲むようにカバー部材が配置されることになるので、開閉部材の一部はスイッチ用ハウジングに直接的に当接しなくなる。これにより、開閉部材を閉じたときに、スイッチ用ハウジングの損傷および分解を確実に防止することができる。
【００１０】
請求項３に係る開閉検出装置では、請求項１又は２に記載の開閉検出装置において、カバー部材が金属製の板状部材である。この場合、カバー部材が板状部材になっているので、カバー部材をスイッチ用ハウジングに容易に装着することができる。また、カバー部材が金属からなっているので、カバー部材の強度および剛性を確保することができる。これにより、開閉部材の一部がカバー部材に当接しても、カバー部材が損傷しないようにすることができる。また、カバー部材がスイッチ用ハウジングに装着された状態では、スイッチ用ハウジングの剛性が向上するので、開閉部材の一部がカバー部材に当接したときに、スイッチ用ハウジングに撓みが生じにくくなり、スイッチ用ハウジングが損傷したり分解したりしにくくなる。
【００１１】
請求項４に係る開閉検出装置では、請求項１から３のいずれかに記載の開閉検出装置において、カバー部材の開閉部材側にシート状の絶縁部材が貼付されている。この場合、カバー部材の開閉部材側にシート状の絶縁部材が貼付されているので、たとえば、スイッチボタンの近傍に指を接近させるようなことがあっても、指からスイッチ部へと静電気が伝達されないようにすることができる。すなわち、静電気がスイッチ部へと伝達されないようにすることができる。
【００１２】
請求項５に係る開閉検出装置では、請求項１から４のいずれかに記載の開閉検出装置において、カバー部材にアース部材が装着されており、スイッチ部はアース部材によりアースされている。この場合、スイッチ部がアース部材によりアースされているので、たとえば、スイッチボタンの近傍に指を接近させたときに、指からの静電気をカバー部材に装着されたアース部材によってアースすることができる。これにより、静電気がスイッチ部へと伝達されないようにすることができる。
【００１３】
請求項６に係る開閉検出装置では、請求項１から５のいずれかに記載の開閉検出装置において、開閉部材が画像形成装置の開閉カバーになっている。スイッチ部は、開閉カバーの開閉状態を検出するための画像形成装置の検出部になっている。このように、画像形成装置の開閉カバーに開閉部材を対応させて、開閉カバーの開閉状態を検出するための画像形成装置の検出部にスイッチ部を対応させるようにしても、請求項１から５に示した効果と同様の効果を得ることができる。
【発明の効果】
【００１４】
本発明によれば、カバー部材がスイッチ用ハウジングに装着されているので、開閉部材が勢いをつけて閉じられるようなことがあっても、開閉部材の一部がスイッチボタンに当接した後、開閉部材の一部がスイッチ用ハウジングに直接的に当接しなくなる。これにより、スイッチ用ハウジングが損傷しにくくなる。また、スイッチ用ハウジングに装着されたカバー部材により、開閉部材の一部がスイッチ用ハウジングに直接的に当接しないようにしたことで、スイッチ用ハウジングが複数のパーツから組み立てられていたとしても、スイッチ用ハウジングが分解しにくくなる。すなわち、カバー部材をスイッチ用ハウジングに装着することにより、開閉部材を閉じたときに、スイッチ用ハウジングの損傷および分解を防止することができる。さらに、カバー部材の開閉部材側にシート状の絶縁部材を貼付したり、スイッチ部をアース部材でアースしたりすることにより、静電気がスイッチ部へと伝達されないようにすることができる。
【発明を実施するための最良の形態】
【００１５】
図１は、本発明の一実施形態による複写機１の前面図を示している。なお、本実施形態で使用される方向を示す用語は、複写機１を利用するユーザを基準として定義されている。たとえば、複写機１においては、ユーザに面する複写機の略垂直面を前面、前面とは反対側の略垂直面を背面、ユーザ前方の略水平面を上面、その他の左右の略垂直面を左側面および右側面として定義している。
【００１６】
本実施形態における複写機１の構成は、開閉検出装置３０を除いて一般的に用いられている従来の複写機の構成と同様であるため、ここでは、開閉検出装置３０の説明に必要な構成要素と開閉検出装置３０とについての説明のみを行うものとする。
【００１７】
複写機１は、図２および図３に示すように、主に、外装カバー２０と開閉検出装置３０とを有している。外装カバー２０は、複写機本体１０の外周を覆うように複写機本体１０に装着されている。この外装カバー２０には、前面開閉カバー２１が含まれている。
【００１８】
前面開閉カバー２１は、複写機本体１０の前面に開閉自在に装着されている。ここでは、前面開閉カバー２１は、複写機本体１０の前面左側のヒンジ（図示しない）を支点として開閉自在になっている。前面開閉カバー２１には、前面開閉カバー２１が閉じられたときに前面開閉カバー２１を複写機本体１０に位置決めするための位置決め部２２と、スイッチボタン３１ａを押圧又は押圧解除するための押圧部２３とが設けられている。位置決め部２２は、前面開閉カバー２１の裏面右端に配置されている。押圧部２３は、位置決め部２２からヒンジ側に所定の間隔を隔てて配置されている。この押圧部２３は、前面開閉カバー２１を閉じた時に、後述するシート状の絶縁部材３４が貼付されたハウジングカバー３３に当接可能になっている。
【００１９】
開閉検出装置３０は、図４および図５に示すように、前面開閉カバー２１の開閉状態を検出するためのものであり、スイッチ部３１と、スイッチ用ハウジング３２と、ハウジングカバー３３とを有している。スイッチ部３１は、スイッチボタン３１ａとスイッチ本体３１ｂとを有している。スイッチボタン３１ａは、前面開閉カバー２１の押圧部２３が当接する部分であり、スイッチ本体３１ｂに進退自在に装着されている。このスイッチボタン３１ａが開閉部材の押圧部２３により押圧又は押圧解除されることにより、スイッチ部３１はオン又はオフされる。スイッチ本体３１ｂは、後述するスイッチ用ハウジング３２に収容されている。このスイッチ本体３１ｂには制御部（図示しない）が内蔵されており、この制御部はスイッチボタン３１ａのオンオフ動作を電気信号に変換する。スイッチ用ハウジング３２は、前面開閉カバー２１を閉じた状態の押圧部２３の位置に対向する位置で複写機本体１０に装着されている。スイッチ用ハウジング３２は、スイッチボタン３１ａを外方に突出させた状態でスイッチ部３１を収容可能になっている。たとえば、スイッチ用ハウジング３２は矩形状に形成されており、一面が開口した内部空間を有するハウジング本体３２ａとハウジング本体３２ａの開口を封止する蓋部３２ｂとからなっている。ハウジング本体３２ａの内部空間には、スイッチ本体３１ｂが収容されている。蓋部３２ｂには内部空間から外方に貫通する貫通孔３２ｃが形成されており、この貫通孔３２ｃにスイッチボタン３１ａを挿通させて、スイッチボタン３１ａを蓋部３２ｂから外方に突出させている。ハウジングカバー３３は、スイッチボタン３１ａの近傍でスイッチ用ハウジング３２に装着されている。ハウジングカバー３３はたとえば金属製の板状部材であり、ハウジングカバー３３の外周縁部にはスイッチ用ハウジング３２の蓋部３２ｂの４つの側面に係合する係合部３３ａが形成されている。このハウジングカバー３３は、係合部３３ａを蓋部３２ｂの４つの側面に係合させた状態で、スイッチ用ハウジング３２の蓋部３２ｂに接着されている。また、ハウジングカバー３３の前面開閉カバー２１側には、シート状の絶縁部材３４が貼付されている。たとえば、絶縁部材３４は、矩形シート状に形成されており、中央部が矩形状に切り抜かれている。このような絶縁部材３４は、中央部の切り抜かれた部分がハウジングカバー３３の蓋部３２ｂの貫通孔３２ｃの位置にくるように位置を合わせて、ハウジングカバー３３の蓋部３２ｂに貼付されている。
【００２０】
このような開閉検出装置３０では、図２および図３に示すように、前面開閉カバー２１が開かれた状態から閉じられると、スイッチ用ハウジング３２から外方に突出した状態のスイッチ部３１のスイッチボタン３１ａが前面開閉カバー２１の押圧部２３により押圧される。そして、前面開閉カバー２１の位置決め部２２が複写機本体１０に当接して、前面開閉カバー２１が複写機本体１０に位置決めされる。これにより、スイッチ部３１はオンされる。一方で、前面開閉カバー２１が閉じられた状態から開かれると、前面開閉カバー２１の押圧部２３がスイッチ部３１のスイッチボタン３１ａから離反して、押圧状態にあったスイッチ部３１のスイッチボタン３１ａの押圧が解除される。これにより、スイッチ部３１はオフされる。
【００２１】
このような本実施形態では、スイッチ用ハウジング３２にはハウジングカバー３３が装着されているので、前面開閉カバー２１が勢いをつけて閉じられるようなことがあっても、前面開閉カバー２１の押圧部２３がスイッチボタン３１ａを押圧した後、前面開閉カバー２１の押圧部２３がスイッチ用ハウジング３２に直接的に当接しなくなる。これにより、スイッチ用ハウジング３２が損傷しにくくなる。また、スイッチ用ハウジング３２に装着されたハウジングカバー３３により、前面開閉カバー２１の押圧部２３がスイッチ用ハウジング３２に直接的に当接しないようにしたことで、スイッチ用ハウジング３２が複数のパーツから組み立てられていたとしても、スイッチ用ハウジング３２が分解しにくくなる。すなわち、ハウジングカバー３３をスイッチ用ハウジング３２に装着することにより、前面開閉カバー２１を閉じたときに、スイッチ用ハウジング３２が損傷および分解しにくくなるようにすることができる。さらに、カバー部材の開閉部材側にシート状の絶縁部材３４を貼付することにより、静電気がスイッチ部３１へと伝達されないようにすることができる。
【００２２】
〔他の実施形態〕
（ａ）前記実施形態では、本発明が複写機１に対して適用される場合の例を示したが、本発明は、複写機１だけでなく、プリンタおよびファクシミリなどやこれら複合機等の画像形成装置に対しても適用することができる。
【００２３】
（ｂ）前記実施形態では、ハウジングカバー３３にシート状の絶縁部材３４が貼付される場合の例を示したが、絶縁部材３４に代えて、スイッチ部３１をアースするためのアース部材をハウジングカバー３３に装着するようにしても良い。また、絶縁部材３４とアース部材とをハウジングカバー３３に装着するようにしても良い。このようにしても、前記実施形態に示した効果と同様の効果を得ることができる。すなわち、静電気がスイッチ部３１へと伝達されないようにすることができる。
【図面の簡単な説明】
【００２４】
【図１】本発明の一実施形態にかかる画像形成装置の一例である複写機の前面図。
【図２】開閉検出装置および開閉検出装置近傍の断面図（図１のＩ−Ｉ断面：前面開閉カバー開放時）。
【図３】開閉検出装置および開閉検出装置近傍の断面図（図１のＩ−Ｉ断面：前面開閉カバー閉塞時）。
【図４】開閉検出装置の拡大断面図。
【図５】開閉検出装置を前面開閉カバー側から見た図。
【符号の説明】
【００２５】
２１    前面開閉カバー（開閉部材）
２３    押圧部（開閉部材の一部）
３０    開閉検出装置
３１ａ  スイッチボタン
３１    スイッチ部
３２    スイッチ用ハウジング
３２ｃ  貫通孔
３３    ハウジングカバー（カバー部材）
３４    絶縁部材
【図１】
2006012590.tif 000003
【図２】
2006012590.tif 000004
【図３】
2006012590.tif 000005
【図４】
2006012590.tif 000006
【図５】
2006012590.tif 000007